(57)【要約】【課題】信号の送受信状態や伝送路の状態等に基づいた経路の候補を選定することにより最適な経路を設定することが可能なネットワーク管理装置を得る。【解決手段】ネットワーク管理装置を、入力手段１１１と、監視手段１１２と、経路設定手段１１３とで構成する。入力手段１１１では、信号の経路を選択するための基準が入力される。監視手段１１２は、伝送装置間の信号の特性または伝送装置間の伝送路の特性を測定した情報を前記信号の経路を選択するための基準に基づいて収集して測定結果情報とする。経路設定手段１１３は、監視手段１１２により収集された測定結果情報とあらかじめ設定された所定の基準により信号の経路を設定する。【選択図】      図１４
2014154972.tif 000002
【特許請求の範囲】
【請求項１】
信号の経路を選択するための基準を入力する入力手段と、
伝送装置間の信号の特性または前記伝送装置間の伝送路の特性を測定した情報を前記信号の経路を選択するための基準に基づいて収集して測定結果情報とする監視手段と、
前記監視手段により収集された前記測定結果情報とあらかじめ設定された所定の基準により信号の経路を設定する経路設定手段とを備えることを特徴とするネットワーク管理装置。
【請求項２】
前記経路設定手段は前記監視手段により収集された前記測定結果情報とあらかじめ設定された所定の基準により伝送路の優先度を判定し、前記優先度を基に信号の経路を設定することを特徴とする請求項１に記載のネットワーク管理装置。
【請求項３】
前記入力手段から入力された前記信号の経路を選択するための基準を所定の単位の用語に分解し、前記所定の単位の用語ごとに属する分類を判断する解析手段をさらに備え、
前記監視手段は前記解析手段で分類された前記用語に対応した情報を収集して前記測定結果情報とすることを特徴とする請求項１または２に記載のネットワーク管理装置。
【請求項４】
前記監視手段は前記伝送装置間で通信における主信号の帯域外の信号を測定した結果に基づく情報を収集して前記測定結果情報とすることを特徴とする請求項１から３いずれかに記載のネットワーク管理装置。
【請求項５】
前記監視手段が情報を収集する前記伝送装置間において主信号の通信が行われているか判断する通信状況判断手段をさらに備え、
前記監視手段は前記通信状況判断手段により主信号の通信が行われていると判断された場合には、主信号を測定した情報を収集して前記測定結果情報とし、
前記通信状況判断手段により主信号の通信が行われていないと判断された場合には、ＯＳＣ信号を測定した情報を収集して前記測定結果情報とすることを特徴とする請求項１から３いずれかに記載のネットワーク管理装置。
【請求項６】
伝送路の特性または前記伝送路で送受信される信号の特性を測定する手段と、
前記測定による測定結果を他の伝送装置へ送信する手段とを備える伝送装置を複数備え、
複数の伝送装置のうち所定の伝送装置は前記各伝送装置が測定した前記測定結果を収集する手段を備え、
前記所定の伝送装置が収集した前記測定結果が請求項１から５いずれかに記載のネットワーク管理装置に入力されて前記監視手段が収集する前記測定結果情報として用いられることを特徴とするネットワーク管理システム。
【請求項７】
信号の経路を選択するための基準を入力し、
伝送装置間の信号の特性または伝送路の特性に関する情報を前記信号の経路を選択するための基準に基づいて収集して測定結果情報とし、
収集された前記測定結果情報とあらかじめ設定された所定の基準により信号の経路を設定することを特徴とする通信経路の設定方法。
【請求項８】
入力された前記信号の経路を選択するための基準を所定の単位の用語に分解し、前記所定の単位の用語ごとに属する分類を判断し、
分類された前記用語に対応した情報を収集して前記測定結果情報とすることを特徴とする請求項７に記載の通信経路の設定方法。
【請求項９】
前記伝送装置間での通信における主信号の帯域外の信号を測定した結果に基づく情報を収集して前記測定結果情報とすることを特徴とする請求項７または８いずれかに記載の通信経路の設定方法。
【請求項１０】
情報を収集する前記伝送装置間において主信号の通信が行われているか判断し、
主信号の通信が行われていると判断した場合には、主信号を測定した情報を収集して前記測定結果情報とし、
主信号の通信が行われていないと判断された場合には、ＯＳＣ信号を測定した情報を収集して前記測定結果情報とすることを特徴とする請求項７または８いずれかに記載の通信経路の設定方法。
【発明の詳細な説明】
【技術分野】
【０００１】
本発明は、通信ネットワークにおいて通信経路を管理するための技術に関するものであり、特に伝送路や信号等の状態に応じた適切な通信経路を設定する技術に関するものである。
【背景技術】
【０００２】
情報通信社会の発展とともに通信量が増大し、大容量の通信が可能な光通信の重要性が高まっている。また、情報通信の社会的な重要性が高くなるとともに、通信を安定的に行えることへの要求が強くなっている。光通信ネットワークでは波長分割多重（Wavelength Division Multiplexing ; ＷＤＭ）方式による通信が行われることがある。波長分割多重方式により通信が行われる光通信ネットワークは、ＷＸＣ（Wavelength Cross Connect）機能を内部に有する伝送装置と光ファイバ等による伝送路等が組み合わされることにより構成される。各伝送装置のＷＸＣ機能部では各方路から入力される信号の経路の組み換え等が行われて各方路へと出力され、それが繰り返されることにより目的となる装置まで信号が伝送されて情報が伝達される。そのような光通信ネットワークでは目的となる伝送装置までの信号の経路が複数存在し、また、各伝送装置で信号の方路の組み換えが行われるためネットワークの複雑性が高くなる。そのため、そのような複雑なネットワークにおいて正確に信号の経路を設定するための技術の必要性が高い。また、光通信ネットワークでは伝送装置や伝送路の追加や除去、途中の伝送装置でのメンテナンスの実施、または、障害が発生した場合など経路の再設定などが行われたときに、素早く信号の経路の設定ができることが要求されることがある。このような背景から光通信ネットワークにおいて信号の通信経路を設定するための技術の開発が盛んに行われている。光通信ネットワークにおいて、信号の通信経路の設定方法に関する技術としては、例えば、特許文献１のような技術が開示されている。
【０００３】
特許文献１では複数の通信経路から最適な経路を選択する方法について開示されている。特許文献１は２つの送受信装置の間に２つの経路を備えた通信ネットワークが示されている。特許文献１では通信経路ごとに使用されている波長数、中継装置の数、伝送路の距離などを抽出して、経路間での比較を行い２つの経路のうち最適な方を信号の通信経路として選定している。
【０００４】
特許文献２は３つ以上の伝送路で他の通信装置と互いに接続する構成を含む通信システムにおいて、複数の経路から最適な経路を設定する方法について開示されている。特許文献２では、経路の距離やアラームの発生数などの要素を設定し要素ごとに重みづけを行って通信経路の順位付けをして候補を抽出している。
【０００５】
特許文献３ではＷＸＣ機能を有する伝送装置で構成される通信ネットワークにおいて、通信経路を決定する技術が開示されている。特許文献３では、経路を設定したい区間の両端の装置を指定すると、経路の候補が画面に表示される。特許文献３では、経路の候補を画面に表示することにより作業者が視覚的に候補となる経路を把握しながら、候補の選定ができるため作業者の誤操作等を防止できるとしている。
【先行技術文献】
【特許文献】
【０００６】
【特許文献１】国際公開２００４／１１４５５４号
【特許文献２】特開２００２−３６８７９２号公報
【特許文献３】特開２０１２−１５６７７０号公報
【発明の概要】
【発明が解決しようとする課題】
【０００７】
しかしながら、特許文献１に開示された技術には次のような課題がある。特許文献１では経路の設定の際に、伝送路の距離や中継装置の数などの情報を基に２つの経路のうちどちらが通信に適するかを判断している。これらの情報は、通信ネットワークを設置した後には装置等の追加や除去が無い場合には変動がないものである。そのため、ある伝送路で障害が発生して信号の強度が低下して通信に支障が生じた場合などでも、使用に適さない経路が使用できるものとして候補として選定され得る。作業者は使用に適さない経路を考慮して経路を設定する必要があり、複雑な判断が要求されることがある。よって、特許文献１は複雑なネットワークにおいて障害が発生した場合などに代替の経路をすぐに設定したい場合などに用いる技術としては十分ではない。また、特許文献２も特許文献１と同様に設置後には変動の無い経路の距離や、ある一定期間におけるアラームの発生数等、通信経路を設定したいときの実際の経路の状態に基づいてはいない情報を基に経路を設定している。よって、特許文献２も信号の送受信状態や伝送路の状態を考慮して経路設定を行うために用いる技術としては十分ではない。
【０００８】
また、特許文献３は経路を視覚的に見やすくして経路設定の際の作業者の負担を軽減しているが、表示される経路の候補の選定において信号の送受信状態や伝送路の状態等は考慮されていない。よって、作業者は通信に適さない伝送路等を考慮しながら通信経路の選択を行う必要があり、作業者の負担が大きなものとなる。
【０００９】
本発明は、信号の送受信状態や伝送路の状態等に基づいた経路の候補を選定することにより最適な経路を設定することが可能なネットワーク管理装置を得ることを目的としている。
【課題を解決するための手段】
【００１０】
上記の課題を解決するため、本発明のネットワーク管理装置は入力手段と、監視手段と、判定手段と、経路設定手段とを備えている。入力手段では、信号の経路を選択するための基準が入力される。監視手段は、伝送装置間の信号の特性または伝送装置間の伝送路の特性を測定した情報を前記信号の経路を選択するための基準に基づいて収集して測定結果情報とする。経路設定手段は、監視手段により収集された測定結果情報とあらかじめ設定された所定の基準により信号の経路を設定する。
【００１１】
また、本発明の通信経路の設定方法では、信号の経路を選択するための基準を入力し、伝送装置間の信号の特性または伝送路の特性に関する情報を信号の経路を選択するための基準に基づいて収集して測定結果情報としている。収集された測定結果情報とあらかじめ設定された所定の基準により信号の経路を設定する。
【発明の効果】
【００１２】
本発明では、信号の特性等の測定結果の情報を収集してその結果を基に通信経路の設定を行っているため、通信ネットワークの状況に応じた最適な経路の設定を行うことができる。また、経路を選択するための基準に基づいて測定結果を収集して、その結果を基に経路設定を行うことにより、複雑な通信ネットワークなどにおいても作業者の負担を軽減して最適な通信経路の選択を行うことができる。
【図面の簡単な説明】
【００１３】
【図１】本発明の第１の実施形態の構成の概要を示す図である。
【図２】本発明の第１の実施形態の装置の構成を示す図である。
【図３】本発明の第１の実施形態の装置の構成を示す図である。
【図４】本発明の第１の実施形態の装置の構成を示す図である。
【図５】本発明の第１の実施形態の装置の構成を示す図である。
【図６】本発明の第１の実施形態におけるデータの例を示す図である。
【図７】本発明の第１の実施形態におけるデータの例を示す図である。
【図８】本発明の第１の実施形態におけるデータの例を示す図である。
【図９】本発明の第１の実施形態におけるデータの例を示す図である。
【図１０】本発明の第１の実施形態におけるデータの例を示す図である。
【図１１】本発明の第１の実施形態におけるデータの例を示す図である。
【図１２】本発明の第２の実施形態の構成の概要を示す図である。
【図１３】本発明の第２の実施形態の装置の構成を示す図である。
【図１４】本発明の第３の実施形態の装置の構成を示す図である。
【発明を実施するための形態】
【００１４】
本発明の第１の実施形態について図１を参照して詳細に説明する。図１は本実施形態の通信ネットワークシステムの構成の概要を示したものである。本実施形態の通信ネットワークシステムはＮＭＳ（Network Management System）サーバ１０と、複数の伝送装置および伝送路とを備えている。本実施形態の通信ネットワークシステムには４台の伝送装置が備えられており、第１の伝送装置２０、第２の伝送装置４０、第３の伝送装置６０および第４の伝送装置８０が備えられている。本実施形態の通信ネットワークシステムでは波長分割多重（Wavelength Division Multiplexing ; ＷＤＭ）方式での光信号の通信が行われている。それぞれの伝送装置の間は光ファイバ等で構成される伝送路で接続されている。図１では、第１の伝送装置２０と第３の伝送装置６０の間の伝送路をｆ１−ｆ３、第１の伝送装置２０と第４の伝送装置８０の間の伝送路をｆ１−ｆ４、第３の伝送装置６０と第４の伝送装置８０の間の伝送路をｆ３−ｆ４として表記している。また、第３の伝送装置６０と第２の伝送装置４０の間の伝送路をｆ３−ｆ２、第４の伝送装置８０と第２の伝送装置４０の間の伝送路をｆ４−ｆ２として表記している。
【００１５】
図２はＮＭＳサーバ１０の構成の概要を示している。図２に示すように、ＮＭＳサーバ１０は設計概念受信部１１と、設計概念ＤＢ（Database）１２と、設計概念呼び出し・出力表示部１３とを備えている。また、ＮＭＳサーバ１０は測定データの抽出指示部１４と、測定データ収集ＤＢ１５と、経路指標計算部１６と、優先度付け部１７と、経路表示部１８とをさらに備えている。ＮＭＳサーバ１０は第１の伝送装置２０と情報の送受信を行うＭａｎａｇｅｒ部１９を備えている。
【００１６】
ＮＭＳサーバ１０の設計概念受信部１１は作業者が入力する設計概念を受信し、入力された設計概念を解析する機能を有する。設計概念とは光信号の通信経路を設定する際の経路設定の方針や判断基準のことをいう。設計概念受信部１１は、入力された設計概念を所定の単位に分解する機能を有する。例えば、設計概念受信部１１は入力された設計概念を単語ごとに分解する。設計概念受信部１１は設計概念を単語等に分解すると、分解した単語等とあらかじめ設定されている分類ごとのデータと比較して、分解した単語がどの分類に属するのかを判断する機能を有する。設計概念受信部１１は分解した設計概念を１つの設計概念ごとに紐づけて設計概念ＤＢ１２へと出力する。設計概念ＤＢ１２は設計概念受信部１１から送られてくる設計概念等を保存している。また、設計概念ＤＢ１２は、設計概念呼び出し・出力表示部１３からの要求に応じて設計概念の情報を測定データの抽出指示部１４へと送る機能を有する。
【００１７】
設計概念呼び出し・出力表示部１３は作業者が過去に入力し、設計概念ＤＢ１２に保存されている設計概念を設計概念ＤＢ１２から呼び出して表示する機能を有する。また、設計概念呼び出し・出力表示部１３は、作業者の選択した設計概念を設計概念ＤＢ１２へと要求して測定データの抽出指示部１４へと設計概念の情報を送る機能を有する。測定データの抽出指示部１４は、設計概念ＤＢ１２に保存されていた設計概念の情報を受け取ると、分類された設計概念の項目ごとに収集するべき測定項目とそれを取得する箇所を判断する機能を有する。測定データの抽出指示部１４は収集するべき測定項目と測定箇所を判断すると、その測定データを抽出する指示を測定データ収集ＤＢ１５に対して行う。また、測定データの抽出指示部１４は新たに入力された設計概念に関する情報を受けたときに、設計概念に対応する測定データを収集するための測定項目と測定箇所を判断する機能を有する。測定データの抽出指示部１４は新たに収集する測定データに対応する測定項目と測定箇所を判断すると、Ｍａｎａｇｅｒ部１９に測定項目と測定箇所に関する情報を送る。
【００１８】
測定データ収集ＤＢ１５はＭａｎａｇｅｒ部１９を介して受信する各伝送装置または各伝送路についての測定データを保存する機能を有する。また、測定データ収集ＤＢ１５は測定データの抽出指示部１４から測定データを抽出する指示を受けると、経路の計算に必要な測定データを経路指標計算部１６へ出力する。経路指標計算部１６は、測定データ収集ＤＢ１５から出力された測定データを受け取り、伝送装置間の各伝送路や信号の特性を比較するための指標を、測定データを基に計算して優先度付け部１７へ出力する。指標は、あらかじめ設定された所定の計算方法により算出することや、所定の基準値と比較して各伝送路の測定データの所定の基準値に対する比として算出することができる。また、指標は各伝送路についての測定値を比較することにより計算し、他の伝送路に対しての相対的な値として算出することもできる。また、測定データが所定の設定値の範囲外であった場合に、経路指標計算部１６は、その測定データが該当する伝送装置や伝送路は通信に適さないとの判断を行うこともある。優先度付け部１７は、経路指標計算部１６から受け取った指標データから、各経路の優先度を計算し経路表示部１８へ優先度データを出力する。経路表示部１８は、優先度付け部１７から出力された優先度データを基に通信経路の候補に優先順位を設定して表示する機能を有する。Ｍａｎａｇｅｒ部１９は第１の伝送装置１０を介して各伝送装置と情報の送受信を行う機能を有する。Ｍａｎａｇｅｒ部１９は第１の伝送装置１０を介して各伝送装置と情報の送受信を行う機能を有する。Ｍａｎａｇｅｒ部１９は測定データの抽出指示部１４から送られてくる測定データの測定項目および測定箇所に関する情報を各伝送装置へと送信する。Ｍａｎａｇｅｒ部１９は各伝送装置から送られてくる測定データを測定データ収集ＤＢ１５へと送る。また、通信ネットワークシステムの設定に関する情報や伝送装置の稼働状況等に関する情報の送受信を行う機能を有する。
【００１９】
第１の伝送装置２０の構成について図３を参照して説明する。図３は第１の伝送装置２０の構成の概要を示したものである。第１の伝送装置２０はＷＸＣ（Wavelength Cross Connect）部２１と、送信用光アンプ２２と、受信用光アンプ２３と、多重部２４と、分離部２５とを備えている。第１の伝送装置２０は第１のトランスポンダ２６と、第２のトランスポンダ２７と、ＯＳＣ（Optical Supervisor Channel）部２８と、送信信号計測部２９と、受信信号計測部３０と、Ａｇｅｎｔ部３１とをさらに備えている。ＷＸＣ部２１には第３の伝送装置６０および第４の伝送装置８０から伝送路を介して送られてくる信号と、第１の伝送装置２０に接続された情報装置や通信設備等から挿入（Ａｄｄ）されるクライアント信号が入力される。ＷＸＣ部２１に入力された信号はそれぞれチャネルごとに分離される。分離された信号はチャネルごとに所定の方路への経路へと分けられて送られる。所定の方路へと送られた信号は方路ごとに多重化され、第３の伝送装置６０または第４の伝送装置８０への伝送路へと出力されるか、分岐（Ｄｒｏｐ）されて第１の伝送装置２０に接続された情報装置や通信設備等にクライアント信号として出力される。
【００２０】
送信用光アンプ２２はＷＸＣ部２１から出力される光信号を増幅し伝送路へと送る。受信用光アンプ２３は伝送路から入力される光信号を増幅してＷＸＣ部２１へと送る。送信用光アンプ２２および受信用光アンプ２３には、例えば、エルビウム添加ファイバ増幅器を用いることができる。
【００２１】
多重部２４は第１のトランスポンダ２６で光信号に変換された信号を合波素子で多重化してＷＸＣ部２１へと出力する。分離部２５ではＷＸＣ部２１で分岐されて出力された信号が分波素子でチャネルごとに分離され、所定の第２のトランスポンダ２７への経路に出力される。合波素子および分波素子としては、例えば、アレイ導波路回折格子を用いることができる。第１のトランスポンダ２６は半導体レーザーを備えており各チャネルの信号を所定の波長の光信号に変換する機能を有する。第２のトランスポンダ２７は受光素子としてフォトダイオードを備えており入力される光信号を電気信号に変換して出力する。
【００２２】
ＯＳＣ部２８は伝送装置間で送受信されるＯＳＣ信号の送受信の制御を行う。ＯＳＣ部２８は第１の伝送装置２０の装置状態や設定情報を出力してＷＸＣ部２１を介して他の伝送装置へと送信する。ＯＳＣ部２８は他の伝送装置から受信した装置状態等のデータを第１の伝送装置２０に接続されている管理端末やＡｇｅｎｔ部３１へと出力する。また、ＯＳＣ部２８は送信信号計測部２９および受信信号計測部３０からの測定データを受信し、他の伝送装置またはＡｇｅｎｔ部３１へと送る機能を有する。また、ＯＳＣ部２８はＡｇｅｎｔ部３１を介して受け取った測定データを要求する情報をＷＸＣ部２１を介して他の伝送装置へ送る機能や、送信信号計測部２９または受信信号計測部３０に送る機能を有する。
【００２３】
送信信号計測部２９は送信用光アンプ２２の出力部における光信号の送信状態を監視する機能を有する。受信信号計測部３０は受信用光アンプ２３への入力部の光信号の受信状態を監視する機能を有する。送信信号計測部２９および受信信号計測部３０では光信号の強度、ＳＮ比（Signal to Noise ratio ; ＳＮＲ）、エラー率などの信号特性の測定が行われる。また、送信信号計測部２９および受信信号計測部３０では伝送路のスパンロスなど伝送路の特性が測定されることもある。スパンロスは伝送路の伝送損失のことをいい、伝送路を介して対向する伝送装置での出力強度の測定結果をＯＳＣ信号で受信した結果と自装置で測定した受信信号の強度との比較によって計算される。また、信号特性の測定による監視または監視結果をＰＭ（Performance Monitor）と呼ぶことがある。測定は主信号として通信に用いられている帯域の信号を計測することにより行われる。送信信号計測部２９および受信信号計測部３０での測定結果を示す測定データはそれぞれＯＳＣ部２８へと出力される。
【００２４】
Ａｇｅｎｔ部３１はＯＳＣ部２８から送られてきた自装置または他の伝送装置の装置状態等の情報や測定データをＮＭＳサーバ１０へと送信する機能を有する。また、Ａｇｅｎｔ部３１はＮＭＳサーバ１０から送られてくる通信ネットワークの設定情報等の制御に関する情報や信号特性等の測定データの要求をＯＳＣ部２８へと送る機能を有する。
【００２５】
第２の伝送装置４０の構成について図４を参照して説明する。図４は第２の伝送装置４０の構成の概要を示したものである。第２の伝送装置４０はＷＸＣ部４１と、送信用光アンプ４２と、受信用光アンプ４３と、多重部４４と、分離部４５とを備えている。第２の伝送装置４０は第１のトランスポンダ４６と、第２のトランスポンダ４７と、ＯＳＣ部４８と、送信信号計測部４９と、受信信号計測部５０とをさらに備えている。ＷＸＣ部４１、送信用光アンプ４２、受信用光アンプ４３、多重部４４、分離部４５、第１のトランスポンダ４６、第２のトランスポンダ４７、送信信号計測部４９および受信信号計測部５０には第１の伝送装置２０の同一名称の部位と構成および機能が同様のものを用いることができる。ＯＳＣ部４８は送信信号計測部４９および受信信号計測部５０で計測した測定結果を示す測定データの情報を受信して、ＷＸＣ部４１を介して出力し第１の伝送装置２０へと送る機能を有する。また、第１の伝送装置２０から送られてくる測定項目や測定箇所等の情報を送信信号計測部４９および受信信号計測部５０へと送る機能を有する。
【００２６】
第３の伝送装置６０の構成について図５を参照して説明する。図５は第３の伝送装置６０の構成の概要を示したものである。第３の伝送装置６０は第１の伝送装置２０、第２の伝送装置４０および第４の伝送装置８０と伝送路を介して接続されている。
【００２７】
第３の伝送装置６０は第１のＷＸＣ部６１と、送信用光アンプ６２と、受信用光アンプ６３と、多重部６４と、分離部６５とを備えている。第３の伝送装置６０は第１のトランスポンダ６６と、第２のトランスポンダ６７と、第１のＯＳＣ部６８と、送信信号計測部６９と、受信信号計測部７０とをさらに備えている。また、第３の伝送装置６０は、第２のＷＸＣ部７１と、第２のＯＳＣ部７２とをさらに備えている。送信用光アンプ６２、受信用光アンプ６３、多重部６４、分離部６５、第１のトランスポンダ６６、第２のトランスポンダ６７、送信信号計測部６９および受信信号計測部７０は第１の伝送装置２０の同一名称の部位と構成および機能が同一のものを用いることができる。
【００２８】
第１のＷＸＣ部６１は第１の伝送装置２０のＷＸＣ部２１と同様の機能に加え、第２のＷＸＣ部７１との間で入出力を行う信号についても、信号の経路の組み換えを行う機能を有する。第１のＷＸＣ部６１は第２のＷＸＣ部７１から送られてくる信号を所定の伝送路、または、第３の伝送装置６０に接続されている情報装置や通信設備等へ分岐される経路へと振り分けて出力する機能を有する。また、第１のＷＸＣ部６１は伝送路から入力された信号や第３の伝送装置６０において情報装置や通信設備から挿入された信号のうち所定のチャネルの信号を第２のＷＸＣ部７１へと送る機能を有する。
【００２９】
第２のＷＸＣ部７１は伝送路から入力される信号を他の伝送路または第１のＷＸＣ部６１へと送信する機能を有する。本実施形態では第１のＷＸＣ部６１は第１の伝送装置２０と伝送路ｆ１−ｆ３を介して、第２の伝送装置４０と伝送路ｆ３−ｆ２を介してそれぞれ接続されているものとする。また、第２のＷＸＣ部７１は第４の伝送装置８０と伝送路ｆ３−ｆ４を介して接続されているものとする。第２のＷＸＣ部７１では伝送路を介して接続されている他の伝送装置は１台のみのため、伝送路から入力された信号は第１のＷＸＣ部６１へと送られる。また、第２のＷＸＣ部７１は第１のＷＸＣ部６１から送られてきた信号を所定の方路へと出力する機能を有する。本実施形態では第２のＷＸＣ部７１には伝送路を介して接続されている他の伝送装置は１台のため、第１のＷＸＣ部６１から送られてきた信号は第４の伝送装置８０への伝送路ｆ３−ｆ４へと出力される。
【００３０】
第４の伝送装置８０は第３の伝送装置６０と構成および機能が同一のものを用いることができる。第４の伝送装置８０は第１の伝送装置２０、第２の伝送装置４０および第３の伝送装置６０と伝送路を介して接続されている。
【００３１】
本実施形態の通信ネットワークシステムにおいて設計概念の設定が行われる際の動作について説明する。作業者すなわちオペレータは設計概念をＮＭＳサーバ１０に入力する。作業者が設計概念を入力すると入力された文章は、設計概念１のように番号がつけられて、設計概念受信部１１において一時保存される。例えば、作業者が「ＮＥ２でのＯＳＮＲを大きくしたい」と入力すると、設計概念１として「ＮＥ２でのＯＳＮＲを大きくしたい」が保存される。「ＮＥ２」のＮＥは伝送装置のことを示し、「ＮＥ２」は第２の伝送装置４０のことを示す。また、ＯＳＮＲは光ＳＮ比のことを示す。図６には設計概念が６つ入力され、設計概念１から６として保存されている例を示した。
【００３２】
設計概念受信部１１は一時保存した設計概念を所定の単位の用語に分解する。例えば、設計概念受信部１１は文章として入力された設計概念を形態素解析法等により所定の単位の単語に分解する。設計概念受信部１１は入力された設計概念を単語に分解すると、分解した単語がどのカテゴリ、すなわちどの分類に属するかを判断する。本実施形態では、３つのカテゴリが所定の分類として設定されている。本実施形態の３つのカテゴリは、どこの伝送装置に関するものであるか、どのようなパラメータであるのか、および、どのようにすることが望ましいかに分類されている。例えば、どこの伝送装置に関するものであるかのカテゴリには図７に示したような「ＮＥ１」、「ＮＥ２」などの単語が該当する。また、パラメータに関するカテゴリには、図８に示したような「ＯＳＮＲ」、「スパンロス」、「ＯＰＲの変動」、「白色雑音」など実際に測定を行う項目に関する単語が該当する。ＯＰＲは受信信号の強度等を示す。また、どのようにしたいかのカテゴリには、図９に示したような「大きく」、「小さく」、「最低限」、「等しく」などのように値の大小等の特性の方向性に関する単語が分類されている。各カテゴリに属する単語は図７、図８および図９のようなデータとしてあらかじめ保存されている。設計概念受信部１１はカテゴリごとにあらかじめ保存されているデータと分解された単語とを比較してどのカテゴリに属するのかを判断する。
【００３３】
設計概念１のような文章が入力された場合、設計概念受信部１１は「ＮＥ２での」、「ＯＳＮＲを」および「大きく」のように分解する。設計概念受信部１１は、「ＮＥ２での」が図７に示したどこの伝送装置に関するものであるかのデータの中に含まれるもの、または、それと類似するものと判断すると、そのカテゴリに分類する。設計概念受信部１１は入力された設計概念に含まれる単語をカテゴリに分類すると、設計概念ＤＢ１２に分類した結果を保存する。図１０は設計概念ＤＢ１２に設計概念ごとに含まれる単語が分類されて保存された例を示した。図１０に示すように設計概念に割り振られた番号と紐づけられて、入力した文章が単語ごとにカテゴリに分類されて保存される。
【００３４】
新たな設計概念が設計概念ＤＢ１２に保存されると、新たに保存された設計概念のデータは、設計概念呼び出し・出力表示部１３を介して測定データの抽出指示部１４へと送られる。測定データの抽出指示部１４は、新たに保存された設計概念のデータを受け取ると、新たに保存された設計概念に対応する測定データの測定項目および測定箇所を判断する。測定データの抽出指示部１４は測定データの測定項目と測定箇所を判断すると、Ｍａｎａｇｅｒ部１９に対して新たに保存された設計概念に対応する測定データの測定項目および測定箇所の情報を送る。Ｍａｎａｇｅｒ部１９は測定項目および測定箇所の情報を受けると、第１の伝送装置２０を介して各伝送装置に対して該当する測定データを要求する情報を送る。測定データを要求する情報を受け取った各伝送装置は、該当する測定箇所において該当する測定項目の測定を行い、測定結果を示す測定データを第１の伝送装置２０を介してＮＭＳサーバ１０へと送信する。
【００３５】
各伝送装置において測定データを取得する際に、その測定データが波長ごとに取得されるデータである場合、所定の波長に該当するチャネルの信号についての測定が行われる。所定の波長に該当するチャネルで信号の通信が行われていない場合は、通信に使用されているチャネルのうち所定の波長を含むチャネルに近いチャネルでの測定が行われる。所定の波長は例えば、通信ネットワークシステムおいて主信号として用いられる全帯域の中央の波長として設定される。所定の波長を複数設定して測定を行い、複数の波長での測定での平均値が測定データとして用いられる方法とすることもできる。また、波長ごとの特性差を伝送装置や伝送路の設置時等にあらかじめ測定して補正値を設定し、異なる波長で測定データを収集したときに補正が行われる方法とすることもできる。
【００３６】
ＮＭＳサーバ１０のＭａｎａｇｅｒ部１９は測定データを受け取ると、測定データを測定データ収集ＤＢ１５へと送る。測定データ収集ＤＢ１５は測定データを受け取ると、測定項目および測定箇所ごとに保存する。また、各伝送装置は一定時間ごとに測定データの再取得を行い、第１の伝送装置２０を介してＮＭＳサーバ１０に測定データを送信する。測定データ収集ＤＢ１５はその時点から所定の期間前までに測定された一定時間ごとの測定データを保存している。そのため、測定データ収集ＤＢ１５に保存されている情報は通信ネットワークシステムにおける直近の信号の状態や伝送路の状態を反映している可能性の高いデータであり、データの信頼性が高いものとなる。また、測定データの再取得をＮＭＳサーバ１０から各伝送装置へ要求する方法とすることもできる。
【００３７】
本実施形態の通信ネットワークシステムで信号の通信経路の設定、すなわち、パスの設定が行われる場合の動作について説明する。作業者により通信経路の設定の開始操作等が行われたとする。ＮＭＳサーバ１０の設計概念呼び出し・出力表示部１３は設計概念ＤＢ１２に設計概念のデータを要求する。設計概念ＤＢ１２は設計概念のデータの要求を受けると、保存されている設計概念を設計概念呼び出し・出力表示部１３へと出力する。設計概念呼び出し・出力表示部１３は設計概念のデータを受け取ると、設計概念を表示して作業者に示す。作業者が、表示された設計概念から１つまたは複数を選択して結果を入力すると、設計概念呼び出し・出力表示部１３はその選択結果を測定データの抽出指示部１４へと送る。
【００３８】
測定データの抽出指示部１４は作業者が既に保存されている中から選択した設計概念の情報を受け取ると、その設計概念に対応する測定データを判断する。測定データの抽出指示部１４は必要な測定データを判断すると、測定データ収集ＤＢ１５に対して測定データを抽出する指示を送る。例えば、作業者が設計概念１を選択していたとすると、測定データの抽出指示部１４は、第１の伝送装置２０から第２の伝送装置４０まで間の各伝送路のＯＳＮＲすなわち光ＳＮ比の測定データが必要と判断して測定データ収集ＤＢ１５に情報を送る。
【００３９】
測定データ収集ＤＢ１５は、測定データの抽出指示部１４から必要な測定データの情報を受けると、該当する測定データを経路指標計算部１６へ出力する。経路指標計算部１６は測定データを基に指標を計算し、優先度付け部１７へ指標データを出力する。指標の計算方法については、どのようなパラメータであるのかのカテゴリの各単語に応じてあらかじめ設定されている。例えば、作業者が設計概念１を選択した場合、経路指標計算部１６は各伝送路の送信側と受信側での光ＳＮ比の測定データを基に雑音指数として指標データを計算するとして設定されている。伝送路における雑音指数は雑音指数をＮＦ、送信側の光ＳＮ比をＳＮＲｉｎ、受信側での光ＳＮ比をＳＮＲｏｕｔであるとすると、ＮＦ＝ＳＮＲｉｎ／ＳＮＲｏｕｔとして計算することができる。送信側の光ＳＮ比であるＳＮＲｉｎは送信側の伝送装置の送信信号計測部で測定される。受信側の光ＳＮ比であるＳＮＲｏｕｔは受信側の伝送装置の受信信号計測部で測定される。また、指標データは所定の基準値を基にしたときの測定データ等の値の比とすることもできる。指標データは測定値や測定値から算出した雑音指数のような特定値が値に応じてランク分けされているデータと比較して該当するランクを判断することにより生成することもできる。
【００４０】
優先度付け部１７は指標データを基に、各経路について優先順位を判断して優先度として経路を示す情報に付加して経路表示部１８に出力する。経路表示部１８は優先度が付加された経路を示す情報を受けると、各経路の優先順位とともに経路の表示を行う。作業者は表示された経路と優先度を基に、実際に信号の経路として設定する経路を選択することができる。
【００４１】
設計概念１が選択されていたときに、設計指標計算部１６および優先度付け部１７が測定データから指標を算出し優先度を判断する際の例について説明する。本実施形態の通信ネットワークシステムにおいて、第１の伝送装置２０から第２の伝送装置４０までの通信経路は４通り存在する。４通りの通信経路のうち１つ目は伝送路ｆ１−ｆ３、第３の伝送装置６０および伝送路ｆ３−ｆ２を順に通るものである。本実施形態では第１経路と呼ぶことにする。４通りの通信経路のうち２つ目は、伝送路ｆ１−ｆ４、第４の伝送装置８０および伝送路ｆ４−ｆ２を順に通るものであり、第２経路と呼ぶことにする。３つ目は、伝送路ｆ１−ｆ３、第３の伝送装置６０、伝送路ｆ３−ｆ４、第４の伝送装置８０、伝送路ｆ４−ｆ２を順に通るものであり、第３経路と呼ぶことにする。４つ目は、伝送路ｆ１−ｆ４、第４の伝送装置８０、伝送路ｆ３−ｆ４、第３の伝送装置６０および伝送路ｆ３−ｆ２を順に通るものであり、第４経路と呼ぶことにする。
【００４２】
設計概念１はＮＥ２すなわち第２の伝送装置４０までの光ＳＮ比を大きくしたいというものである。よって、測定データ収集ＤＢ１５は候補となる経路に含まれる各伝送路の送信側と出力側での光ＳＮ比の測定データを計算部１６へと出力する。設計指標計算部１６は測定データ収集ＤＢ１５から測定データを受け取ると各伝送路の送信側と出力側の信号の光ＳＮ比の測定データを基に雑音指数を算出して指標データとする。指標データは所定の基準値に対する雑音指数の比として算出することもできる。所定の基準値はあらかじめ設定されている値、各伝送路の雑音指数の平均値または各伝送路における雑音指数のデータの中での最小値などを用いることができる。設計指標計算部１６は各伝送路の雑音指数を指標として計算すると指標データとして、優先度付け部１７へと送る。
【００４３】
優先度付け部１７は指標データを受け取ると、第１経路から第４経路について、それぞれの経路に含まれる各伝送路の指標データの合計値を求める。例えば、第１経路の場合は、伝送路ｆ１−ｆ３および伝送路ｆ３−ｆ２の指標データの合計値を求める。優先付け部１７は４つの経路の指標データの合計値を計算すると、その指標データの平均値の大きい方、すなわち雑音指数の小さい方を上位として合計値が大きくなる方が下位となる順に各経路に優先度をつける。合計値が小さい方から順に、第４経路、第２経路、第１経路、第３経路であったとすると、優先度付け部１７は第４経路を１番、第２経路を２番、第１経路を３番、第３経路を４番の順に優先度を設定する。優先度付け部１７は優先度を設定すると、優先度データとして経路表示部１８に出力する。経路表示部１８は優先度データを受け取ると優先度の高い経路から順に経路を表示して作業者に示す。その際に、経路表示部１８は各経路上にある伝送路および伝送装置の情報も合わせ表示することもできる。図１１に各経路の優先順位、経路名および各経路に含まれる伝送装置と伝送路のデータを組み合わせた例を示した。また、本実施形態では雑音指数を例に説明したが、スパンロスなど他の測定データを用いる場合でも同様の方法で行うことができる。スパンロスの場合は各伝送路での送信側と受信側での信号の強度の差から求めたスパンロスのデータまたは所定の基準値とスパンロスのデータから求めた値を指標とし損失が小さな方が上位となるように優先度が設定される。
【００４４】
本実施形態において作業者が保存されている設計概念から設計概念を選択するときに、設計概念を新たに入力して設定することもできる。設計概念が新たに入力されて設定された場合は、事前に設計概念を設定する場合において新たに設計概念が入力されたときと同様の方法で対応する測定データが収集される。
【００４５】
本実施形態の通信ネットワークシステムでは、ＮＭＳサーバ１０が設計概念を基に伝送装置間における信号の特性や伝送路の特性の測定項目と測定箇所を判断し、各伝送装置に測定を要求して測定データを収集している。ＮＭＳサーバ１０は測定データを基に各伝送装置間の伝送路等の指標を算出し、その指標を基に通信経路の優先順位を判断して経路の表示を行っている。このような構成とすることにより、入力された設計概念に基づき優先順位がつけられた通信経路の候補から最適なものを選択することができる。よって、本実施形態の通信ネットワークシステムでは、装置や伝送路等の状況を示す測定データを基に判断された優先順位を用いて最適な通信経路の選択が可能となる。また、入力された基準を基にした優先順位をつけられた通信経路から選択することにより、複雑な通信ネットワークなどにおいても通信経路の設定の際の作業者の負担を軽減しつつ最適な通信経路の設定が可能となる。
【００４６】
本発明の第２の実施形態について図１２を参照して詳細に説明する。図１２は本実施形態の通信ネットワークシステムの構成の概要を示したものである。本実施形態の通信ネットワークシステムは第１の実施形態と同様の構成である。第１の実施形態の通信ネットワークシステムは主信号の帯域での測定により各測定データを得ていた。本実施形態の通信ネットワークシステムは、主信号の通信が行われていない場合に、ＯＳＣ信号等の通信管理用の信号を測定することにより測定データを収集して、経路の優先度を判定する際の基となる測定データとして用いる。本実施形態の通信ネットワークシステムではＯＳＣ信号等を測定することにより、主信号の通信を行う前に伝送路の状態等を判断することが可能となる。
【００４７】
本実施形態の通信ネットワークシステムは、ＮＭＳサーバ１００と、第１の伝送装置９１と、第２の伝送装置９２と、第３の伝送装置９３と、第４の伝送装置９４とを備えている。各伝送装置は光ファイバ等で構成される伝送路を介して互いに接続されている。また、ＮＭＳサーバ１００と第１の伝送装置９１とは互いに接続されており、ＯＳＣ信号等の通信管理用の信号の送受信を行う機能を有する。本実施形態の通信ネットワークシステムにおいても波長分割多重方式での光信号の通信が行われている。
【００４８】
第１の伝送装置９１、第２の伝送装置９２、第３の伝送装置９３および第４の伝送装置９４は、第１の実施形態の同一名称の伝送装置と同様の構成のものを用いることができる。本実施形態の各伝送装置のＯＳＣ部はＮＭＳサーバ１００からの測定項目や測定箇所の情報を受け取ると、自装置の送信信号計測部および受信信号計測部へとその情報を送る機能を有する。また、自装置の送信信号計測部および受信信号計測部から測定データを受け取ると、各伝送装置のＯＳＣ部は第１の伝送装置９１へと送る機能を有する。ＯＳＣ信号には主信号で使用される波長の帯域外の波長の信号が用いられる。各伝送装置において信号の計測を行った際の測定データはＯＳＣ部に送られ、第１の伝送装置９１を介してＮＭＳサーバ１００に送られる。
【００４９】
ＮＭＳサーバ１００の構成の概要を図１３に示した。図１３に示す通り本実施形態のＮＭＳサーバ１００は第１の実施形態のＮＭＳサーバ１０と同様の部位により構成されている。すなわち、ＮＭＳサーバ１００は設計概念受信部１０１と、設計概念ＤＢ１０２と、設計概念呼び出し・出力表示部１０３とを備えている。また、ＮＭＳサーバ１００は測定データの抽出指示部１０４と、測定データ収集ＤＢ１０５と、経路指標計算部１０６と、優先度付け部１０７と、経路表示部１０８とをさらに備えている。また、ＮＭＳサーバ１００は第１の伝送装置９１と情報の送受信を行うＭａｎａｇｅｒ部１０９を備えている。
【００５０】
ＮＭＳサーバ１００の設計概念受信部１０１、設計概念ＤＢ１０２、設計概念呼び出し・出力表示部１０３およびＭａｎａｇｅｒ部１０９は第１の実施形態の同一名称の部位と同様の機能を有する。
【００５１】
測定データの抽出指示部１０４は、新たな設計概念のデータを受けると対応する測定項目と測定箇所を判断する機能を有する。測定データの抽出指示部１０４は、測定項目や測定箇所を判断する際に、ＮＭＳサーバ１００が有する通信制御に関する情報を参照して該当する測定箇所が通信に使用されているかを判断する機能を有する。測定データの抽出指示部１０４は、測定箇所が通信に使用されている場合は、各伝送装置に対し主信号を測定した測定データを要求する情報をＭａｎａｇｅｒ部１０９に送る。通信箇所が通信に使用されていない場合は、測定データの抽出指示部１０４は、ＯＳＣ信号を測定した測定データを各伝送装置へ要求する情報をＭａｎａｇｅｒ部１０９に送る。また、測定データの抽出指示部１０４は、設計概念呼び出し・出力表示部１０３から作業者が選択した設計概念の情報を受け取ると、設計概念の項目ごとに設定されている収集するべき測定データを判断する機能を有する。測定データの抽出指示部１０４は収集するべき測定データを判断すると、その測定データを抽出する指示を測定データ収集ＤＢ１０５に対して行う。
【００５２】
測定データ収集ＤＢ１０５は各伝送装置からＭａｎａｇｅｒ部１０９を介して受信する測定データを保存する機能を有する。測定データ収集ＤＢ１０５はＯＳＣ信号を測定した測定データを受け取った場合は、ＯＳＣ信号を測定したことを示す情報を付加して測定データを保存する。また、測定データ収集ＤＢ１０５は測定データの抽出指示部１０４からの測定データを抽出する指示を受けると、経路の計算に必要な測定データを経路指標計算部１０６へ出力する。経路指標計算部１０６および優先度付け部１０７は第１の実施形態の同一名称の部位と同様の機能を有する。また、経路指標計算部１０６および優先度付け部１０７はＯＳＣ信号を測定した測定データに基づいて指標データの生成および優先度の判断を行うときは、そのことを示す情報を付加して後段の部位へと情報を出力する機能をさらに有する。経路表示部１０８は第１の実施形態の経路表示部と同様の機能を有する。また、経路表示部１０８は優先度付け部１０７からＯＳＣ信号の測定データを基にした優先度の情報を受けると、その旨を合わせて通信経路の候補を表示する機能を有する。
【００５３】
本実施形態の通信ネットワークシステムにおいて設計概念が新たに入力されて、設計概念ＤＢ１０２に分類されて保存される際の動作は、第１の実施形態と同様である。次に、本実施形態において、設計概念ＤＢ１０２に保存されている設計概念を基に優先度の判断等に用いる測定データの収集が行われる際の動作について説明する。
【００５４】
新たな設計概念が設計概念受信部１０１に入力され設計概念ＤＢ１０２に保存されたとする。設計概念ＤＢ１０２に新たに保存された設計概念のデータは設計概念呼び出し・出力表示部１０３を介して測定データの抽出指示部１０４へと送られる。測定データの抽出指示部１０４は、新たに保存された設計概念のデータを受け取ると、新たに保存された設計概念に対応する測定データの測定項目およびその測定データを測定する測定箇所を判断する。測定データの抽出指示部１０４は測定項目と測定箇所を判断すると、該当する測定箇所が主信号の通信に使用されているかを判断する。主信号の通信での使用の有無は、ＮＭＳサーバ１００が通信管理用に有しているネットワークの設計情報および稼働情報を参照して行う。測定データの抽出指示部１０４は該当する測定箇所が主信号の通信に使用されていると判断したときは、主信号の測定を行って測定データを収集するとの情報を付加して、各伝送装置へ測定データを要求する情報をＭａｎａｇｅｒ部１０９に送る。測定データの抽出指示部１０４は該当する測定箇所が主信号の通信に使用されていないと判断したときは、ＯＳＣ信号の測定を行って測定データを収集するとの情報を付加して、各伝送装置へ測定データを要求する情報をＭａｎａｇｅｒ部１０９に送る。
【００５５】
Ｍａｎａｇｅｒ部１０９は測定データの抽出指示部１０４から測定データを要求する情報を受け取ると、第１の伝送装置９１を介して各伝送装置に対して該当する測定箇所における測定データを要求する情報を送る。測定データを要求する情報を受け取った各伝送装置は、該当する測定箇所において指定された測定項目の測定を主信号またはＯＳＣ信号を測定することにより行う。各伝送装置は測定を行うと測定結果を示す測定データを第１の伝送装置９１を介してＮＭＳサーバ１００へと送信する。ＯＳＣ信号の測定を行う場合は、ＯＳＣ信号を用いて該当する伝送装置間で信号の送受信の開始や終了の情報の受け渡しが行われる。ＮＭＳサーバ１００のＭａｎａｇｅｒ部１０９は測定データを受け取ると、測定データを測定データ収集ＤＢ１０５へと送る。測定データ収集ＤＢ１０５は測定データを受け取ると、測定箇所と測定項目ごとに保存する。測定データ収集ＤＢ１０５はＯＳＣ信号を測定した測定データを受信したときは、そのことを示す情報を付加して測定データを保存する。また、各伝送装置は一定時間ごと等に測定データの再取得を行い、第１の伝送装置９１を介してＮＭＳサーバ１００に測定データを送信する。一定時間ごとに測定を繰り返すときに、主信号の送受信が開始されている場合は、主信号の測定による測定データの取得が行われて、ＮＭＳサーバ１００へと送られることもある。一定時間ごと等に測定データが更新されることにより、測定データ収集ＤＢ１０５に保存されている情報は直近の通信ネットワークシステムにおける信号や伝送路の状況を反映したものとなる。また、測定データの再取得をＮＭＳサーバ１００から各伝送装置へ要求する方法とすることもできる。
【００５６】
本実施形態の通信ネットワークシステムで信号の通信経路の設定、すなわち、パスの設定が行われる場合の動作について説明する。作業者により通信経路の設定の開始操作等が行われたとする。ＮＭＳサーバ１００の設計概念呼び出し・出力表示部１０３は設計概念ＤＢ１０２に設計概念のデータを要求する。設計概念ＤＢ１０２は設計概念のデータの要求を受けると、保存されている設計概念を設計概念呼び出し・出力表示部１０３へと出力する。設計概念呼び出し・出力表示部１０３は設計概念のデータを受け取ると、設計概念を表示して作業者に示す。作業者が、表示された設計概念から１つまたは複数を選択して結果を入力すると、設計概念呼び出し・出力表示部１０３はその選択結果を測定データの抽出指示部１０４へと送る。測定データの抽出指示部１０４は作業者の入力した設計概念の情報を受け取ると、その設計概念に対応する測定データを判断する。測定データの抽出指示部１０４は必要な測定データを判断すると、測定データ収集ＤＢ１０５に対して測定データを抽出する指示を送る。
【００５７】
測定データ収集ＤＢ１０５は、測定データの抽出指示部１０４から必要な測定データの情報を受けると、該当する測定データを経路指標計算部１０６へ出力する。その際に、その測定データがＯＳＣ信号を測定した測定データであった場合には、ＯＳＣ信号を測定したデータであることを示す情報が測定データに付加される。経路指標計算部１０６は測定データを基に指標を計算し、優先度付け部１０７へ指標データを出力する。ＯＳＣ信号を測定した測定データであった場合には、その旨を示す情報が指標データに付加されて出力される。
【００５８】
優先度付け部１０７は指標データを基に、各経路について優先順位を判断して優先度として経路を示す情報に付加して経路表示部１０８に出力する。その際、経路の一部においてＯＳＣ信号を測定した測定データを基にした指標を用いている場合には、その経路の優先度を下げて表示することもできる。ＯＳＣ信号を用いた際に優先度を下げて表示する場合には、指標を算出する際にあらかじめ設定された所定の補正値が加えられて指標データが生成される。経路表示部１０８は経路を示す情報を受けると、各経路の優先順位とともに経路の表示を行う。作業者は表示された経路と優先度を基に、信号の経路として設定する通信経路を選択することができる。
【００５９】
本発明の通信ネットワークシステムでは、第１の実施形態と同様に、ＮＭＳサーバ１００が設計概念を基に伝送装置間における信号の特性や伝送路の特性の測定箇所と項目を判断し、各伝送装置に測定結果を要求して測定結果を収集している。ＮＭＳサーバ１００は測定結果を収集する際に、測定を行う箇所が主信号の通信に使用されているかの判断を行っている。主信号の通信に使用されていないときにＯＳＣ信号の測定を行うことにより、新たに設置された伝送装置や伝送路を通る経路も、通信経路を選定する際の候補とすることができる。また、ＯＳＣ信号の測定を行って優先度の判断をしているため、主信号の通信を行っていない箇所を含む経路であっても、優先順位づけを行って通信経路の設定をすることできる。よって、本実施形態では、伝送装置や伝送路が新たに設置された場合や組み換えが行われた場合などでも、装置や伝送路等の状態に応じた最適な通信経路の選択が可能となる。また、入力された基準を基にした優先順位をつけられた通信経路から選択することにより、複雑な通信ネットワークなどにおいても通信経路の設定の際の作業者の負担を軽減しつつ最適な通信経路の設定が可能となる。
【００６０】
第１の実施形態および第２の実施形態において、作業者により設計概念の入力や選択が行われた際、通信経路の設定が開始されたが、所定の条件により自動的に開始される方法とすることもできる。例えば、通信ネットワークのおける伝送装置および伝送路等の構成の変更や新たな設置を検知して自動的に設定が開始される方法とすることができる。また、主信号の通信を行っている箇所の測定データが所定の範囲外の値となったときに、障害の発生の警告を提示する方法や、新たな通信経路の設定が開始される方法とすることもできる。
【００６１】
第１の実施形態および第２の実施形態において、通信経路の設定を行う信号の波長に基づいて測定データを収集する方法としてもよい。その場合、ＮＭＳサーバの測定データの抽出指示部は、ユーザにより入力された信号の波長またはあらかじめ取得するように設定されている波長のデータを付加して、測定データを要求する情報をＭａｎａｇｅｒ部へと送る。また、経路設定の際は、測定データの抽出指示部は必要な測定データの情報に波長のデータを付加して、測定データ収集ＤＢへと送る。また、測定データ収集ＤＢは測定データとその測定を行った波長を関連付けて保存し、要求に応じて経路指標計算部へと出力する。
【００６２】
第３の実施形態について図１４を参照して詳細に説明する。図１４は本実施形態のネットワーク管理装置の構成の概要を示したものである。本実施形態のネットワーク管理装置は、入力手段１１１と、監視手段１１２と、経路設定手段１１３とを備えている。入力手段１１１では、信号の経路を選択するための基準が入力される。監視手段１１２は、伝送装置間の信号の特性または伝送装置間の伝送路の特性を測定した情報を前記信号の経路を選択するための基準に基づいて収集して測定結果情報とする。経路設定手段１１３は、監視手段１１２により収集された測定結果情報とあらかじめ設定された所定の基準により信号の経路を設定する。
【００６３】
本実施形態のネットワーク管理装置は、入力された信号の経路を選択するための基準を基に、測定を行う箇所を決めてその箇所における測定結果を収集している。また、測定結果を基に通信経路の設定を行っている。このように通信経路の設定を行うことにより、通信ネットワークの状況に応じた最適な経路の設定を行うことができる。また、入力された基準を基に収集した測定結果を基に経路の設定を行うことで、複雑な通信ネットワークなどにおいても作業者の負担を軽減して最適な通信経路の選択を行うことができる。
【００６４】
上記の実施形態の一部又は全部は、以下の付記のようにも記載されうるが、以下には限られない。
【００６５】
［付記１］信号の経路を選択するための基準を入力する入力手段と、伝送装置間の信号の特性または前記伝送装置間の伝送路の特性を測定した情報を前記信号の経路を選択するための基準に基づいて収集して測定結果情報とする監視手段と、前記監視手段により収集された前記測定結果情報とあらかじめ設定された所定の基準により信号の経路を設定する経路設定手段とを備えることを特徴とするネットワーク管理装置。
【００６６】
［付記２］前記経路設定手段は前記監視手段により収集された前記測定結果情報とあらかじめ設定された所定の基準により伝送路の優先度を判定し、前記優先度を基に信号の経路を設定することを特徴とする付記１に記載のネットワーク管理装置。
【００６７】
［付記３］前記入力手段から入力された前記信号の経路を選択するための基準を所定の単位の用語に分解し、前記所定の単位の用語ごとに属する分類を判断する解析手段をさらに備え、前記監視手段は前記解析手段で分類された前記用語に対応した情報を収集して前記測定結果情報とすることを特徴とする付記１または２に記載のネットワーク管理装置。
【００６８】
［付記４］前記監視手段は前記伝送装置間で通信における主信号の帯域外の信号を測定した結果に基づく情報を収集して前記測定結果情報とすることを特徴とする付記１から３いずれかに記載のネットワーク管理装置。
【００６９】
［付記５］前記監視手段は前記伝送装置間におけるＯＳＣ信号を測定した結果に基づく情報を収集して前記測定結果情報とすることを特徴とする付記１から３いずれかに記載のネットワーク管理装置。
【００７０】
［付記６］前記監視手段が情報を収集する前記伝送装置間において主信号の通信が行われているか判断する通信状況判断手段をさらに備え、前記監視手段は前記通信状況判断手段により主信号の通信が行われていると判断された場合には、主信号を測定した情報を収集して前記測定結果情報とし、前記通信状況判断手段により主信号の通信が行われていないと判断された場合には、ＯＳＣ信号を測定した情報を収集して前記測定結果情報とすることを特徴とする付記１から３いずれかに記載のネットワーク管理装置。
【００７１】
［付記７］伝送路の特性または前記伝送路で送受信される信号の特性を測定する手段と、前記測定による測定結果を他の伝送装置へ送信する手段とを備える伝送装置を複数備え、複数の伝送装置のうち所定の伝送装置は前記各伝送装置が測定した前記測定結果を収集する手段を備え、前記所定の伝送装置が収集した前記測定結果が請求項１から６いずれかに記載のネットワーク管理装置に入力されて前記監視手段が収集する前記測定結果情報として用いられることを特徴とするネットワーク管理システム。
【００７２】
［付記８］信号の経路を選択するための基準を入力し、伝送装置間の信号の特性または伝送路の特性に関する情報を前記信号の経路を選択するための基準に基づいて収集して測定結果情報とし、収集された前記測定結果情報とあらかじめ設定された所定の基準により信号の経路を設定することを特徴とする通信経路の設定方法。
【００７３】
［付記９］収集された前記測定結果情報とあらかじめ設定された所定の基準により伝送路の優先度を判定し、前記優先度を基に信号の経路を設定することを特徴とする付記８に記載の通信経路の設定方法。
【００７４】
［付記１０］入力された前記信号の経路を選択するための基準を所定の単位の用語に分解し、前記所定の単位の用語ごとに属する分類を判断し、分類された前記用語に対応した情報を収集して前記測定結果情報とすることを特徴とする付記８または９に記載の通信経路の設定方法。
【００７５】
［付記１１］前記伝送装置間での通信における主信号の帯域外の信号を測定した結果に基づく情報を収集して前記測定結果情報とすることを特徴とする付記８から１０いずれかに記載の通信経路の設定方法。
【００７６】
［付記１２］前記伝送装置間におけるＯＳＣ信号を測定した結果に基づく情報を収集して前記測定結果情報とすることを特徴とする付記８から１０いずれかに記載の通信経路の設定方法。
【００７７】
［付記１３］情報を収集する前記伝送装置間において主信号の通信が行われているか判断し、主信号の通信が行われていると判断した場合には、主信号を測定した情報を収集して前記測定結果情報とし、主信号の通信が行われていないと判断された場合には、ＯＳＣ信号を測定した情報を収集して前記測定結果情報とすることを特徴とする付記８から１０いずれかに記載の通信経路の設定方法。
【産業上の利用可能性】
【００７８】
本発明は、通信ネットワークにおける通信経路を設定する技術に関するものであり、特に波長分割多重方式による光通信ネットワークにおけるネットワーク管理システム等に用いることができる。
【符号の説明】
【００７９】
１０    ＮＭＳサーバ
１１    設計概念受信部
１２    設計概念ＤＢ
１３    設計概念呼び出し・出力表示部
１４    測定データの抽出指示部
１５    測定データ収集ＤＢ
１６    経路指標計算部
１７    優先度付け部
１８    経路表示部
１９    Ｍａｎａｇｅｒ部
２０    第１の伝送装置
２１    ＷＸＣ部
２２    送信用光アンプ
２３    受信用光アンプ
２４    多重部
２５    分離部
２６    第１のトランスポンダ
２７    第２のトランスポンダ
２８    ＯＳＣ部
２９    送信信号計測部
３０    受信信号計測部
３１    Ａｇｅｎｔ部
４０    第２の伝送装置
４１    ＷＸＣ部
４２    送信用光アンプ
４３    受信用光アンプ
４４    多重部
４５    分離部
４６    第１のトランスポンダ
４７    第２のトランスポンダ
４８    ＯＳＣ部
４９    送信信号計測部
５０    受信信号計測部
６０    第３の伝送装置
６１    第１のＷＸＣ部
６２    送信用光アンプ
６３    受信用光アンプ
６４    多重部
６５    分離部
６６    第１のトランスポンダ
６７    第２のトランスポンダ
６８    第１のＯＳＣ部
６９    送信信号計測部
７０    受信信号計測部
７１    第２のＷＸＣ部
７２    第２のＯＳＣ部
８０    第４の伝送装置
９１    第１の伝送装置
９２    第２の伝送装置
９３    第３の伝送装置
９４    第４の伝送装置
１００    ＮＭＳサーバ
１０１    設計概念受信部
１０２    設計概念ＤＢ
１０３    設計概念呼び出し・出力表示部
１０４    測定データの抽出指示部
１０５    測定データ収集ＤＢ
１０６    経路指標計算部
１０７    優先度付け部
１０８    経路表示部
１０９    Ｍａｎａｇｅｒ部
１１１    入力手段
１１２    監視手段
１１３    経路設定手段
【図１】
2014154972.tif 000003
【図２】
2014154972.tif 000004
【図３】
2014154972.tif 000005
【図４】
2014154972.tif 000006
【図５】
2014154972.tif 000007
【図６】
2014154972.tif 000008
【図７】
2014154972.tif 000009
【図８】
2014154972.tif 000010
【図９】
2014154972.tif 000011
【図１０】
2014154972.tif 000012
【図１１】
2014154972.tif 000013
【図１２】
2014154972.tif 000014
【図１３】
2014154972.tif 000015
【図１４】
2014154972.tif 000016